(57)【要約】【課題】シールド用導電層を設けても光線透過率の低下が発生せず、生産性の向上や歩留まりの向上などを図ることもできる静電容量型入力装置、入力機能付き表示装置および電子機器を提供すること。【解決手段】静電容量型入力装置１では、透光性基板１０において、入力操作位置を検出するための透光性電極１１、１２が形成されている一方面１０ａ側にシールド用導電層１８を対向させているので、透光性電極１１、１２を外部ノイズから保護することができる。また、透光性基板１０の一方面１０ａと、シールド用導電層１８が形成された支持基板１９との間には高屈折率の透光性材料１５が充填されているため、透光性基板１０とシールド用導電層１８との間には、反射性の界面が存在しない。【選択図】図２
2009098834.tif 000002
【特許請求の範囲】
【請求項１】
透光性基板の一方面に入力操作位置を検出するための電極を備えた静電容量型入力装置において、
前記透光性基板の前記一方面に対してシールド用導電層が対向配置され、
当該シールド用導電層と前記透光性基板の前記一方面との間には高屈折率の透光性材料が充填されていることを特徴とする静電容量型入力装置。
【請求項２】
前記シールド用導電層は、透光性の支持基板上に形成された状態で前記透光性基板の前記一方面側に対向していることを特徴とする請求項１に記載の静電容量型入力装置。
【請求項３】
前記透光性基板の前記一方面と、前記支持基板において前記シールド用導電層が形成されている面とはシール材によって貼り合わされており、
前記透光性基板と前記支持基板において前記シール材で囲まれた領域内に前記透光性材料が充填されていることを特徴とする請求項２に記載の静電容量型入力装置。
【請求項４】
前記透光性基板の前記一方面には、前記シールド用導電層と導電接続されるシールド用電極が形成され、
前記透光性基板と前記支持基板との間には前記シールド用導電層と前記シールド用電極とを導電接続するための基板間導通材が配置されていることを特徴とする請求項３に記載の静電容量型入力装置。
【請求項５】
前記基板間導通材は、前記シール材に配合されていることを特徴とする請求項４に記載の静電容量型入力装置。
【請求項６】
前記透光性基板は、前記一方面を入力操作側とは反対側に向けて配置され、
前記支持基板は、前記透光性基板に対して入力操作側とは反対側において、前記シールド用導電層が形成されている面を入力操作側に向けて配置されていることを特徴とする請求項２乃至５の何れか一項に記載の静電容量型入力装置。
【請求項７】
前記支持基板において前記シールド用導電層が形成されている側とは反対側の面には、当該支持基板との間に液晶層を保持する基板が対向配置されていることを特徴とする請求項６に記載の静電容量型入力装置。
【請求項８】
請求項１乃至７の何れか一項に記載の静電容量型入力装置を備えた入力機能付き表示装置であって、
前記静電容量型入力装置に対して、入力操作側とは反対側に画像生成装置が構成されていることを特徴とする入力機能付き表示装置。
【請求項９】
請求項８に記載の入力機能付き表示装置を備えていることを特徴とする電子機器。
【発明の詳細な説明】
【技術分野】
【０００１】
本発明は、指などが接触あるいは接近した位置を検出可能な静電容量型入力装置、入力機能付き表示装置および電子機器に関するものである。
【背景技術】
【０００２】
近年、携帯電話、カーナビゲーション、パーソナルコンピュータ、券売機、銀行の端末などの電子機器では、近年、液晶装置などの表面に、タッチパネルと称せられる入力装置が配置され、液晶装置の画像表示領域に表示された指示画像を参照しながら、入力装置の所定箇所を指などで押下することで、情報の入力が行えるものがある。
【０００３】
このような入力装置（タッチパネル）には、抵抗膜型、静電容量型などがあるが、抵抗膜型の入力装置は、フィルムとガラスの２枚構造でフィルムを押下してショートさせる構造のため、動作温度範囲の狭さや、経時変化に弱いという欠点を有している。
【０００４】
これに対して、静電容量型の入力装置は、一枚の基板に透光性導電膜を形成すればよいという利点がある。かかる静電容量型の入力装置では、例えば、互いに交差する方向に電極を延在させて、指などが接触あるいは近接した際、電極間の静電容量が変化することを検知して入力位置を検出するタイプのものがある（例えば、特許文献１）。
【０００５】
また、静電容量型の入力装置としては、透光性導電膜の両端に同相、同電位の交流を印加し、指が接触あるいは近接してキャパシタが形成される際に流れる微弱電流を検知して入力位置を検出するタイプのものもある（例えば、特許文献２）。
【特許文献１】特開２００７−１２２３２６号公報
【特許文献２】特開平５−３２４２０３号公報
【発明の開示】
【発明が解決しようとする課題】
【０００６】
このような静電容量型入力装置は、微弱な電流を検出するため、外部からのノイズに弱いという問題がある。そこで、入力装置を完成させた後、入力装置を液晶装置と組み合わせる前に、ＩＴＯ（Indium Tin Oxide）フィルムやＩＴＯガラスを挿入した構造や、入力装置に直接、ＩＴＯをスパッタ形成するなどの方法が考えられている。
【０００７】
しかしながら、上記いずれのシード対策でも、ＩＴＯ層を挿入した分、界面が増えるため、界面での反射が原因で光線透過率が低下するという問題点がある。
【０００８】
また、上記いずれのシールド対策でも、ＩＴＯに対する導電接続や、貼り合わせ、成膜に多大な手間がかかる一方、歩留まりが低下するという問題点がある。
【０００９】
さらに、静電容量型入力装置が完成した後、ＩＴＯ層をスパッタ形成する場合には、静電容量型入力装置を損傷させないように低真空かつ低温でスパッタリングする必要があるため、抵抗値の高いＩＴＯしか形成できないという問題点もある。
【００１０】
以上の問題点に鑑みて、本発明の課題は、シールド用導電層を設けても光線透過率の低下が発生しない静電容量型入力装置、入力機能付き表示装置および電子機器を提供することにある。
【００１１】
次に、本発明の課題は、製造途中でシールド用導電層を組み込みことにより、生産性の向上や歩留まりの向上などを図ることのできる静電容量型入力装置、入力機能付き表示装置および電子機器を提供することにある。
【課題を解決するための手段】
【００１２】
上記課題を解決するために、本発明では、透光性基板の一方面に入力操作位置を検出するための電極を備えた静電容量型入力装置において、前記透光性基板の前記一方面に対してシールド用導電層が対向配置され、当該シールド用導電層と前記透光性基板の前記一方面との間には高屈折率の透光性材料が充填されていることを特徴とする。
【００１３】
本発明では、透光性基板において、入力操作位置を検出するための電極が形成されている一方面側にシールド用導電層を対向させているので、電極を外部ノイズから保護することができる。また、透光性基板の一方面とシールド用導電層との間には高屈折率の透光性材料が充填されているため、透光性基板とシールド用導電層との間には、反射性の界面が存在しない。それ故、シールド用導電層を設けても光線透過率の低下が発生しない。
【００１４】
本発明において、前記シールド用導電層は、透光性の支持基板上に形成された状態で前記透光性基板の前記一方面側に対向していることが好ましい。このように構成すると、透光性基板の一方面側にシールド用導電層を容易に対向させることができるとともに、透光性基板の一方面とシールド用導電層との間には高屈折率の透光性材料を容易かつ確実に充填することができる。それ故、シールド用導電層を設けても、生産性の向上や歩留まりの向上などを図ることができる。また、予め、シールド用導電層が形成された支持基板を用いて入力装置を組み立てることができるため、高真空かつ高温でスパッタリングすることができ、抵抗値の低いＩＴＯ層によってシールド用導電層を形成することができる。かかるシールド用導電層によれば、優れたシールド効果を発揮する。
【００１５】
この場合、前記透光性基板の前記一方面と、前記支持基板において前記シールド用導電層が形成されている面とはシール材によって貼り合わされており、前記透光性基板と前記支持基板において前記シール材で囲まれた領域内に前記透光性材料が充填されていることが好ましい。このように構成すると、透光性基板の一方面側にシールド用導電層をより容易に対向させることができるとともに、透光性基板の一方面とシールド用導電層との間には高屈折率の透光性材料をより容易かつより確実に充填することができる。それ故、シールド用導電層を設けても、生産性の向上や歩留まりの向上などを図ることができる。
【００１６】
本発明において、前記透光性基板の前記一方面には、前記シールド用導電層と導電接続されるシールド用電極が形成され、前記シール材には、前記シールド用導電層と前記シールド用電極とを導電接続するための基板間導通材が配合されていることが好ましい。このように構成すると、透光性基板の側のみを外部と配線接続すればよいので、生産性の向上を図ることができる。
【００１７】
この場合、前記基板間導通材は、前記シール材に配合されていることが好ましい。このように構成すると、透光性基板と支持基板との貼り合わせ工程を利用して、基板間の導通を図ることができ、生産性の向上を図ることができる。
【００１８】
本発明において、前記透光性基板は、前記一方面を入力操作側とは反対側に向けて配置された場合、前記支持基板は、前記透光性基板に対して入力操作側とは反対側において、前記シールド用導電層が形成されている面を入力操作側に向けて配置される。この場合、前記支持基板において前記シールド用導電層が形成されている側とは反対側の面には、当該支持基板との間に液晶層を保持する基板が対向配置されていることが好ましい。すなわち、支持基板自身が液晶装置を構成する基板として用いられていることが好ましい。このように構成すると、部品点数の削減を図ることができる。また、部材が減る分、光線透過率が向上する。
【００１９】
本発明を適用した静電容量型入力装置を用いて入力機能付き表示装置を構成する場合、前記静電容量型入力装置に対して、入力操作側とは反対側に画像生成装置が構成される。
【００２０】
かかる入力機能付き表示装置は、銀行端末などの端末、携帯電話機、モバイルコンピュータなどの電子機器に搭載される。
【発明を実施するための最良の形態】
【００２１】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００２２】
［実施の形態１］
（全体構成）
図１（ａ）、（ｂ）は各々、本発明を適用した入力装置付き表示装置の要部構成を模式的に示す説明図、およびこの入力装置付き表示装置の平面的な構成を模式的に示す説明図である。図２は、本形態の入力装置付き表示装置の断面構成を模式的に示す説明図である。なお、図１（ｂ）において、第１の透光性電極および第２の透光性電極について実線で簡略化して示してあり、それらの数も減らして示してある。また、図２でも、透光性電極、および液晶装置の画素電極や対向電極などについては簡略化して示してある。
【００２３】
図１（ａ）および図２において、本形態の入力装置付き表示装置１００は概ね、画像生成装置としての液晶装置５と、この液晶装置５において表示光を出射する側の面に重ねて配置されたパネル状の静電容量型入力装置１（タッチパネル）とを有している。液晶装置５は、透過型、反射型あるいは半透過反射型のアクティブマトリクス型の液晶パネル５ａを備えている。本形態において、液晶パネル５ａは、透過型であるため、表示光の出射側とは反対側にバックライト装置（図示せず）が配置される。また、液晶装置５において、液晶パネル５ａに対して表示光の出射側には第１偏光板８１が重ねて配置され、その反対側に第２偏光板８２が重ねて配置されている。
【００２４】
液晶パネル５ａは、表示光の出射側に配置された透光性の素子基板５０と、この素子基板５０に対して対向配置された状態でシール材７１により貼り合わされた透光性の対向基板６０と、対向基板６０と素子基板５０との間に保持された液晶層５５とを備えており、素子基板５０には画素電極５３が形成され、対向基板６０には共通電極６２が形成されている。素子基板５０において、対向基板６０の縁から張り出した張出領域５９には駆動用ＩＣ７５がＣＯＧ実装されているとともに、張出領域５９にはフレキシブル基板７３が接続されている。なお、素子基板５０には、素子基板５０上のスイッチング素子と同時に駆動回路を形成することもある。また、表示光の出射側に対向基板６０が配置され、対向基板６０において表示光の出射側とは反対側に素子基板５０が配置されることもある。
【００２５】
静電容量型入力装置１は、ガラス基板などからなる透光性基板１０の一方面１０ａに、後述する透光性電極１１、１２が形成され、その端部１３にはフレキシブル基板３３が接続されている。透光性電極１１、１２はＩＴＯ膜からなる。
【００２６】
かかる静電容量型入力装置１においては、透光性基板１０の上面側が入力操作面になっており、入力操作面の略中央領域が、指先による入力が行われる入力領域１００ａになっている。
【００２７】
図１（ｂ）に示すように、透光性基板１０の一方面１０ａには、矢印Ｘで示す第１の方向に延在する複数列の透光性電極１１と、矢印Ｙで示す第１の方向に交差する第２の方向に延在する複数列の透光性電極１２とが形成されている。なお、図１（ｂ）に示す構成は概念図であって、透光性電極１１、１２のパターンとしては、パッドと称せられる広い面積の部分を備えている構成、左右逆向きの三角形状のパターンが交互に配置された構成などが採用される。
【００２８】
静電容量型入力装置１では、複数の透光性電極１１、１２に順次、電圧印加して電荷を与えた際、いずれかの箇所に導電体である指が接触または近接すると、透光性電極１１、１２と、指との間で容量が形成され、透光性電極１１、１２を介して検出される静電容量が低下するので、いずれの箇所に指が接触または近接したかを検出することができる。
【００２９】
再び図１（ａ）および図２において、静電容量型入力装置１は、液晶装置５の第１偏光板８１に重ねて配置されて入力機能付き表示装置１００を構成する。この入力機能付き表示装置１００において、液晶装置５は入力領域１００ａ内（画像表示領域内）に動画や静止画を表示可能であり、入力機能付き表示装置１００に対して、静電容量型入力装置１を介して入力を行う際の指示画像なども表示する。従って、利用者は、液晶装置５で表示された指示画像を見ながら静電容量型入力装置１に指を接触または近接させる。そして、いずれの箇所に指が接触または近接したかを検出することにより、入力された情報を判別する。
【００３０】
（シールド構造）
静電容量型入力装置１は、微弱な電流を検出するため、外部からのノイズに弱いという問題がある。そこで、本形態では、以下に説明するように、透光性基板１０の一方面１０ａに対して、シールド用導電層１８を高屈折率の透光性材料１５を介して対向させてある。本形態において、高屈折率の透光性材料１５は、屈折率が１．４〜１．９の樹脂材料、例えば、メタクリレート系樹脂などからなる。
【００３１】
このように構成するにあたって、シールド用導電層１８は、透光性の支持基板１９上の全面にスパッタ法などで形成されたＩＴＯ膜であり、透光性基板１０の一方面１０ａ側に対向している。このようにシールド用導電層１８であるＩＴＯ膜を支持基板１９にスパッタ法で製膜する場合には、支持基板１９の単体の状態でスパッタリングすることが可能であり、高真空且つ高温でスパッタリングすることが可能なため抵抗値の低い良好なＩＴＯ膜が形成可能である。ここで、透光性基板１０は、一方面１０ａを入力操作側とは反対側に向けて配置され、支持基板１９は、透光性基板１０に対して入力操作側とは反対側において、シールド用導電層１８が形成されている面を入力操作側に向けて配置されている。
【００３２】
また、透光性基板１０の一方面１０ａと、支持基板１９においてシールド用導電層１８が形成されている面とは矩形枠状のシール材３１によって貼り合わされており、透光性基板１０と支持基板１９においてシール材３１で囲まれた領域内に、高屈折率の透光性材料１５が充填され、封止されている。かかる構造は、シール材７１によって素子基板５０と対向基板６０とを貼り合わせ、シール材７１で囲まれた領域内に液晶を充填され、封止した構造と同様である。
【００３３】
また、透光性基板１０の一方面１０ａにおいて、シールド用導電層１８と重なる位置には、シールド用導電層１８と導電接続されるシールド用電極３８が形成され、透光性基板１０と支持基板１９との間にはシールド用導電層１８とシールド用電極３８とを導電接続するための基板間導通材３０が配置されている。本形態において、基板間導通材３０は、表面に金属層が形成されたプラスチックビーズなどであり、シール材３１に配合されている。かかる構造は、シール材７１に配合された基板間導通材によって、素子基板５０と対向基板６０とを導通させる構造と同様である。
【００３４】
（製造方法）
このような構成の入力機能付き表示装置１００の製造工程のうち、静電容量型入力装置１を製造するには、透光性電極１１、１２を形成した透光性基板１０と、シールド用導電層１８を形成した支持基板１０とをシール材３１により所定の隙間を介して対向する状態に貼り合わせ、パネル構造体とする。その結果、透光性電極１１、１２とシールド用導電層１８とが対向する状態となる。
【００３５】
次に、パネル構造体を所定寸法に切断して、シール材３１の途切れ部分を露出させ、この途切れ部分から、高屈折率の透光性材料１５をシール材３１で囲まれた領域内に充填した後、途切れ部分を樹脂などで封止する。
【００３６】
次に、透光性基板１０の端部１３にフレキシブル基板３３を接続すれば、静電容量型入力装置１を得ることができ、かかる静電容量型入力装置１を液晶装置５に重ねれば、入力機能付き表示装置１００を得ることができる。
【００３７】
（本形態の主な効果）
以上説明したように、本形態では、透光性基板１０において、入力操作位置を検出するための透光性電極１１、１２が形成されている一方面１０ａ側にシールド用導電層１８を対向させているので、透光性電極１１、１２を外部ノイズから保護することができる。
【００３８】
また、透光性基板１０の一方面１０ａとシールド用導電層１８との間には高屈折率の透光性材料１５が充填されているため、透光性基板１０とシールド用導電層１８との間には、反射性の界面が存在しない。それ故、シールド用導電層１８を設けても光線透過率の低下が発生しない。
【００３９】
また、本形態では、シールド用導電層１８は、透光性の支持基板１９上に形成された状態で透光性基板１０の一方面１０ａ側に対向している構成を採用したため、透光性基板１０の一方面１０ａ側にシールド用導電層１８を容易に対向させることができるとともに、透光性基板１０の一方面１０ａとシールド用導電層１８との間には高屈折率の透光性材料１５を容易かつ確実に充填することができる。それ故、シールド用導電層１８を設けても、生産性の向上や歩留まりの向上などを図ることができる。
【００４０】
また、予め、シールド用導電層１８が形成された支持基板１９を用いて静電容量型入力装置１を組み立てることができるため、静電容量型入力装置１を組み立てた後、シールド用導電層１８をスパッタ形成する場合と違って、高真空かつ高温でＩＴＯ膜をスパッタリングすることができる。それ故、抵抗値の低いＩＴＯ膜によってシールド用導電層１８を形成することができ、かかるシールド用導電層１８によれば、優れたシールド効果を発揮する。
【００４１】
さらに、透光性基板１０と支持基板１９とはシール材３１によって貼り合わされ、シール材３１で囲まれた領域内に透光性材料１５が充填されているので、透光性基板１０の一方面１０ａ側にシールド用導電層１８をより容易に対向させることができるとともに、透光性基板１０の一方面１０ａとシールド用導電層１８との間には高屈折率の透光性材料１５をより容易かつより確実に充填することができる。それ故、シールド用導電層１８を設けても、生産性の向上や歩留まりの向上などを図ることができる。また、シール材３１に配合した基板間導通材３０によって基板間の導通を図ったため、透光性基板１０の側のみをフレキシブル基板３３で外部と配線接続すればよく、支持基板１９への配線接続が不要であるという利点もある。
【００４２】
［実施の形態１の変形例］
実施の形態１において、透光性電極１１、１２を形成した透光性基板１０と、シールド用導電層１８を形成した支持基板１９とをシール材３１により所定の隙間を介して対向する状態に貼り合わせ、パネル構造体とした後、支持基板１９の外面側を研磨して支持基板１９を薄板化すれば、静電容量型入力装置１の薄型化を図ることができるとともに、光線透過率を高めることができる。
【００４３】
［実施の形態２］
図３は、本発明の実施の形態２に係る入力機能付き表示装置１００の断面構成を模式的に示す説明図である。
【００４４】
図３に示す静電容量型入力装置１でも、実施の形態１と同様、外部からのノイズに弱いという問題があるため、透光性基板１０の一方面１０ａに対してシールド用導電層１８を対向させ、一方面１０ａとシールド用導電層１８との間には高屈折率の透光性材料１５を充填してある。本形態において、高屈折率の透光性材料１５は、屈折率が１．４〜１．９の樹脂材料からなる。
【００４５】
このように構成するにあたって、本形態では、透光性基板１０は、一方面１０ａを入力操作側とは反対側に向けて配置され、シールド用導電層１８は、液晶パネル５ａに用いた素子基板５０を支持基板として形成されている。すなわち、本形態では、素子基板５０の裏面側（入力操作側の面／対向基板６０が配置されている側とは反対側の面）の全面にスパッタ法などでＩＴＯ膜を形成し、かかるＩＴＯ膜をシールド用導電層１８として用いている。このため、第１偏光板８１は、透光性基板１０に対して入力操作側の面に重ねて配置されている。
【００４６】
ここで、透光性基板１０の一方面１０ａと、素子基板５０においてシールド用導電層１８が形成されている面とは矩形枠状のシール材３１によって貼り合わされており、透光性基板１０と支持基板１９においてシール材３１で囲まれた領域内に、高屈折率の透光性材料１５が充填され、封止されている。
【００４７】
また、透光性基板１０の一方面１０ａには、シールド用導電層１８と導電接続されるシールド用電極３８が形成され、透光性基板１０と支持基板１９との間にはシールド用導電層１８とシールド用電極３８とを導電接続するための基板間導通材３０が配置されている。本形態において、基板間導通材３０は、表面に金属層が形成されたプラスチックビーズなどであり、シール材３１に配合されている。
【００４８】
このような構成の入力機能付き表示装置１００の製造工程のうち、静電容量型入力装置１を製造するには、まず、液晶パネル５ａを形成した後、素子基板５０の入力操作側の面にスパッタ法などでシールド用導電層１８を形成しておく。あるいは、シールド用導電層１８を形成した素子基板５０を用いて液晶パネル５ａを形成しておく。
【００４９】
そして、透光性電極１１、１２を形成した透光性基板１０と、液晶パネル５ａの素子基板５０とをシール材３１により所定の隙間を介して対向する状態に貼り合わせ、パネル構造体とする。その結果、透光性電極１１、１２とシールド用導電層１８とが対向する状態となる。
【００５０】
次に、パネル構造体を所定寸法に切断して、シール材３１の途切れ部分を露出させ、この途切れ部分から、高屈折率の透光性材料１５をシール材３１で囲まれた領域内に充填した後、途切れ部分を樹脂などで封止する。
【００５１】
次に、透光性基板１０の端部１３にフレキシブル基板３３を接続すれば、静電容量型入力装置１および入力機能付き表示装置１００を得ることができる。
【００５２】
以上説明したように、本形態でも、実施の形態１と同様、透光性基板１０において、入力操作位置を検出するための透光性電極１１、１２が形成されている一方面１０ａ側にシールド用導電層１８を対向させているので、透光性電極１１、１２を外部ノイズから保護することができる。また、透光性基板１０の一方面１０ａとシールド用導電層１８との間には高屈折率の透光性材料１５が充填されているため、透光性基板１０とシールド用導電層１８との間には、反射性の界面が存在しない。それ故、シールド用導電層１８を設けても光線透過率の低下が発生しないなど、実施の形態１と同様な効果を奏する。
【００５３】
また、本形態では素子基板５０をシールド用導電層１８の支持基板として用いたため、部品点数の削減を図ることができるとともに、部材が減る分、光線透過率が向上する。
【００５４】
さらに、予め、シールド用導電層１８が形成された素子基板５０を用いて静電容量型入力装置１を組み立てることができるため、静電容量型入力装置１を組み立てた後、シールド用導電層１８をスパッタ形成する場合と違って、高真空かつ高温でＩＴＯ膜をスパッタリングすることができる。それ故、抵抗値の低いＩＴＯ膜によってシールド用導電層１８を形成することができ、かかるシールド用導電層１８によれば、優れたシールド効果を発揮する。
【００５５】
［実施の形態２の変形例１］
実施の形態２では、液晶装置５において素子基板５０が入力操作側に配置されていたが、対向基板６０が入力操作側に配置されている場合、対向基板６０をシールド用導電層１８の支持基板として用いればよい。また、第１偏光板８１が液晶パネル５ａと透光性基板１０との間に配置されている場合、第１偏光板８１をシールド用導電層１８の支持基板として用いてもよい。
【００５６】
［実施の形態２の変形例２］
図４（ａ）、（ｂ）は各々、本発明の実施の形態２の変形例２に係る入力装置付き表示装置の断面構成を模式的に示す説明図である。なお、本形態の基本的な構成は実施の形態２と同様であるため、共通する部分には同一の符号を付してそれらの説明を省略する。
【００５７】
実施の形態２では、ＴＮモードの液晶装置５を用いて静電容量型入力装置１を構成し、シールド用導電層１８によって、タッチパネル１がノイズに弱いという問題を解消したが、液晶装置５において、横電界を利用したＩＰＳ(In Plane Switching)モードあるいはＦＦＳ（Fring Field Switching）モードを採用する場合、シールド用導電層１８によって液晶装置５を静電気から保護する構成を採用してもよい。
【００５８】
例えば、図４（ａ）に示すように、静電容量型入力装置１にＩＰＳモードの液晶装置５を用いるにあたって、表示光の出射側に対向基板６０を配置し、対向基板６０に対して表示光の出射側とは反対側に素子基板５０を配置した場合、対向基板６０の裏面側（入力操作側の面／素子基板５０が配置されている側とは反対側の面）の全面にスパッタ法などでＩＴＯ膜を形成し、かかるＩＴＯ膜をシールド用導電層１８として用いる。この場合、第１偏光板８１は、透光性基板１０に対して入力操作側の面に重ねて配置される。
【００５９】
このような構成の静電容量型入力装置１では、素子基板５０の側に共通電極５２および画素電極５３が各々櫛歯状に形成されるため、対向基板６０の側には電極が形成されない。このため、対向基板６０の側から静電気が侵入しやすいことになるが、本形態では、対向基板６０の裏面側に、タッチパネル１に対するシールド用導電層１８が形成されており、かかるシールド用導電層１８は、対向基板６０の側から静電気が侵入することを防止する効果を発揮する。
【００６０】
また、図４（ｂ）に示すように、静電容量型入力装置１にＦＦＳモードの液晶装置５を用いるにあたって、表示光の出射側に対向基板６０を配置し、対向基板６０に対して表示光の出射側とは反対側に素子基板５０を配置した場合にも、対向基板６０の裏面側（入力操作側の面／素子基板５０が配置されている側とは反対側の面）の全面にスパッタ法などでＩＴＯ膜を形成し、かかるＩＴＯ膜をシールド用導電層１８として用いる。この場合、第１偏光板８１は、透光性基板１０に対して入力操作側の面に重ねて配置される。
【００６１】
このような構成の静電容量型入力装置１では、素子基板５０の側に共通電極５２、誘電体層５４、およびスリット付きの画素電極５３がこの順に形成されるため、対向基板６０の側には電極が形成されない。このため、対向基板６０の側から静電気が侵入しやすいことになるが、本形態では、対向基板６０の裏面側に、タッチパネル１に対するシールド用導電層１８が形成されており、かかるシールド用導電層１８は、対向基板６０の側から静電気が侵入することを防止する効果を発揮する。なお、ＦＦＳモードの液晶装置５では、画素電極、誘電体層、およびスリット付きの共通電極がこの順に形成されることがあるが、かかる構成を採用した場合も、シールド用導電層１８によって、対向基板６０の側から静電気が侵入することを防止することができる。
【００６２】
［電子機器への搭載例］
次に、上述した実施形態に係る入力機能付き表示装置１００を適用した電子機器について説明する。図５（ａ）に、入力機能付き表示装置１００を備えたモバイル型のパーソナルコンピュータの構成を示す。パーソナルコンピュータ２０００は、表示ユニットとしての入力機能付き表示装置１００と本体部２０１０を備える。本体部２０１０には、電源スイッチ２００１及びキーボード２００２が設けられている。図５（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図５（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【００６３】
なお、入力機能付き表示装置１００が適用される電子機器としては、図５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した入力機能付き表示装置１００が適用可能である。
【図面の簡単な説明】
【００６４】
【図１】本発明を適用した入力機能付き表示装置の構成を模式的に示す説明図である。
【図２】本発明の実施の形態１に係る入力機能付き表示装置の断面構成を模式的に示す説明図である。
【図３】本発明の実施の形態２に係る入力機能付き表示装置の断面構成を模式的に示す説明図である。
【図４】（ａ）、（ｂ）は各々、本発明の実施の形態２の変形例２に係る入力装置付き表示装置の断面構成を模式的に示す説明図である。
【図５】本発明に係る入力機能付き表示装置を用いた電子機器の説明図である。
【符号の説明】
【００６５】
１・・静電容量型入力装置、５・・液晶装置、１０・・透光性基板、１１、１２・・透光性電極、１５・・高屈折率の透光性材料、１８・・シールド用導電層、１９・・シールド用導電層の支持基板、３０・・基板間導通材、３１・・シール材、３８・・シールド用電極、５０・・素子基板、８１・・第１偏光板、１００・・入力機能付き表示装置
【図１】
2009098834.tif 000003
【図２】
2009098834.tif 000004
【図３】
2009098834.tif 000005
【図４】
2009098834.tif 000006
【図５】
2009098834.tif 000007